(57)【要約】【課題】簡単迅速に開口部を閉じて、そのまま捨てることができる水切り袋を得ること。【解決手段】樹脂製の網目部材により上部が開口した袋体２を形成すると共に、この袋体２の開口部２ａにその開口部２ａを閉鎖するためのひも３を周設した。【選択図】  図１
2004300906.tif 000002
【特許請求の範囲】
【請求項１】
樹脂製の網目部材により上部が開口した袋体を形成すると共に、この袋体の開口部にその開口部を閉鎖するためのひもを周設したことを特徴とする水切り袋。
【請求項２】
ひもの両端部を引き出し移動可能に保持し、かつ、ひもの両端部を引っ張り移動させることにより袋体の開口部を閉鎖し得るひも保持具を備えていることを特徴とする請求項１に記載の水切り袋。
【請求項３】
ひもの一端部を固定保持する一方、ひもの他端部を引き出し可能に保持して、ひもの他端部のみを引っ張り移動させることにより袋体の開口部を閉鎖し得るひも保持具を備えていることを特徴とする請求項１に記載の水切り袋。
【発明の詳細な説明】
【０００１】
【発明の属する技術分野】
本発明は、例えば流し台の三角コーナーに設置される三角コーナー用のごみ収納かごや排水口用のごみ収納かごなどに設けられる使い捨ての水切り袋に関する。
【０００２】
【従来の技術】
従来、この種の水切り袋は、樹脂製の網目部材により上部が開口した袋体を形成した構造となっている。そして、使用に際しては、ごみ収納かごの内側に入れ、上部をごみ収納かごの外側に折り曲げてセットして使用し、生ごみなどを収容した水切り袋を捨てるときは、水切り袋をごみ収納かごから取り出し、その後、図５に示すように袋上部の開口側を絞り込むように細く伸ばしてその伸ばした部分を結び、収容物が水切り袋から外にこぼれ出ないように開口部を閉じた状態でごみ捨て用のポリ袋に捨てるようにしている。
【０００３】
【発明が解決しようとする課題】
ところが、上記した従来の水切り袋にあっては、単に樹脂製の網目部材により上部が開口した袋体を形成しただけの構造であるため、生ごみなどの収容物が水切り袋から外にこぼれ出ないようにするには、上述したように袋上部の開口側を細く伸ばしその部分を結ぶ面倒な作業が必要で手間を要する問題があった。その上、水切り袋内に収容物を多量に収容したときには、結び代を十分に確保できなくなり、結ぶことが困難となる。そのため、使い勝手が悪いばかりか、ポリ袋内で生ごみなどの収容物が水切り袋から外にこぼれ出て不衛生な感じを与える問題を有していた。また、上部にチャックや両面テープを有するものでは袋の容積が大きいままで、捨てる際に不便である。
【０００４】
そこで、本発明は、水切り袋の開口側にひもを付け、簡単迅速に開口部を閉じて、そのまま捨てることができる水切り袋の提供を課題とする。
【０００５】
【課題を解決するための手段】
上記した課題を解決するために、本願の請求項１に記載の発明は、樹脂製の網目部材により上部が開口した袋体を形成すると共に、この袋体の開口部にその開口部を閉鎖するためのひもを周設したことを特徴とする。
【０００６】
また、ひもによる開口部の閉鎖をより簡単迅速にするために、請求項２に記載の発明は、請求項１に記載の構成に加えて、ひもの両端部を引き出し移動可能に保持し、かつ、ひもの両端部を引っ張り移動させることにより袋体の開口部を閉鎖し得るひも保持具を設けたことを特徴とする。
【０００７】
さらに、ひもによる開口部の閉鎖をより簡単迅速にするために、請求項３に記載の発明は、請求項１に記載の構成に加えて、ひもの一端部を固定保持する一方、ひもの他端部を引き出し可能に保持して、ひもの他端部のみを引っ張り移動させることにより袋体の開口部を閉鎖し得るひも保持具を設けたことを特徴とする。
【０００８】
【発明の実施の形態】
以下、本発明の実施の形態を図面に基づいて説明する。
図１は本発明に係る水切り袋を示し、この水切り袋１は、樹脂製の網目部材により形成される上部が開口した袋体２と、この袋体２の開口部２ａに周設され、その開口部２ａを閉鎖するためのひも３と、ひも３の両端部３ａ，３ｂを引き出し移動可能に保持し、かつ、ひも３の両端部３ａ，３ｂを引っ張り移動させることにより袋体２の開口部２ａを閉鎖し得る樹脂又はゴム製のひも保持具４とを備えている。
【０００９】
ひも３は袋体２の開口部２ａの端部近くの周りに袋体２の網目を利用して内外に交互に縫い込んで周設されている。
【００１０】
ひも保持具４はひも３の両端部３ａ，３ｂの挿通を許す孔部４ａを有し、孔部４ａの隙間をひも３の厚みよりも細幅となるように形成することで常時は孔部４ａ部分の挟着力によりひも３の両端部３ａ，３ｂが不用意に移動しないように保持する一方、開口部を閉鎖するときには、ひも３の両端部３ａ，３ｂをひも保持具４の孔部４ａ部分の挟着力に抗して引っ張ることにより移動させられるようになされている。
【００１１】
次に以上のように構成される水切り袋の作用について説明する。
使用に際しては、図２に示すように袋体２を例えば排水口用のごみ収納かご５の内側に入れ、その上部をごみ収納かご５の外側に折り返してセットして使用する。
【００１２】
そして、生ごみなどを収容した水切り袋１を捨てるときは、まず、水切り袋１の折り返し上部をごみ収納かご５の上部より外し、次に、水切り袋１をごみ収納かご５から取り出す。その後、図３に示すようにひも保持具４を持った状態でひも３の両端部３ａ，３ｂを引っ張って開口部２ａを閉じ、そのままごみ捨て用のポリ袋に捨てることができる。これにより、生ごみなどを外にこぼすことなく衛生的に廃棄処理することができ、しかも、従来のように袋体の開口部を結ぶことにより閉鎖するものに較べて簡単容易にかつ迅速に開口部を閉鎖することができる。その上、結び代を不要にできるので、袋体２の全体を有効に利用して多量のごみを収容することが可能になる。
【００１３】
また、図４はひも保持具の別の実施の形態を示すもので、ひも３′の一端部３′ａを固定保持する一方、ひも３′の他端部３′ｂを引き出し可能に保持して、ひも３′の他端部３′ｂのみを引っ張り移動させることにより袋体２の開口部２ａを閉鎖し得る樹脂又はゴム製のひも保持具４′を用いたものである。
【００１４】
斯かる構成のひも保持具４′を用いた場合には、ごみなどを収容した水切り袋１を捨てるとき、先の実施の形態と同様に水切り袋１をごみ収納かご５から取り出した後、ひも保持具４′を持った状態でひも３′の他端部３′ｂのみを引っ張るだけで開口部２ａを簡単容易にかつ迅速に閉じることができ、そのままごみ捨て用のポリ袋に捨てることができる。
【００１５】
なお、以上の実施の形態では、ひも３を袋体２の網目を利用して縫い込んで周設するようにしたけれども、斯かる構造に限定されるものではなく、例えば袋体２の開口側端部を折り返してひも３を通すための袋状通路部（図示せず）を形成するようにしてもよい。また、上記した実施の形態のようにひも保持具４又はひも保持具４′を用いれば、ひも３又はひも３′を引っ張るだけの簡単な操作で開口部２ａを簡単容易にかつ迅速に閉じることができるが、ひも保持具４又はひも保持具４′を用いず、単にひも３のみであってもよい。その場合にも、従来のように袋体の開口部自体を結んで閉鎖するものに較べて簡単容易にかつ迅速に開口部を閉鎖することができると共に、袋体の全体を有効に利用して多量のごみを収容することができる。
【００１６】
【発明の効果】
以上のように本発明によれば、樹脂製の網目部材により上部が開口した袋体を形成すると共に、この袋体の開口部にその開口部を閉鎖するためのひもを周設したから、生ごみなどを収容した水切り袋を捨てるときには、水切り袋の開口側に周設されたひもにより、簡単迅速に開口部を閉じて、そのまま捨てることができる。これにより、生ごみなどを外にこぼすことなく、かつ袋全体の容積を小さくすることができ、また、衛生的に廃棄処理することができ、しかも、従来のように袋体の開口部自体を結ぶことにより閉鎖するものに較べて簡単容易にかつ迅速に開口部を閉鎖することができる。その上、結び代も不要にできるので、袋体の全体を有効に利用して多量のごみを収容することが可能になる。
【００１７】
また、ひもの両端部を引き出し移動可能に保持し、かつ、ひもの両端部を引っ張り移動させることにより袋体の開口部を閉鎖し得るひも保持具を備えるようにすれば、ひもによる開口部の閉鎖を簡単容易にかつ迅速に行なうことができるので好ましい。
【００１８】
さらに、ひもの一端部を固定保持する一方、ひもの他端部を引き出し可能に保持して、ひもの他端部のみを引っ張り移動させることにより袋体の開口部を閉鎖し得るひも保持具を備えるようにすれば、ひもによる開口部の閉鎖をより簡単容易にかつ迅速に行なうことができるので好ましい。
【図面の簡単な説明】
【図１】本発明の水切り袋の正面図である。
【図２】同水切り袋の使用状態を示す斜視図である。
【図３】同水切り袋を捨てる場合の説明図である。
【図４】別の実施の形態を示す要部の説明図である。
【図５】従来の説明図である。
【符号の説明】
１          水切り袋
２          袋体
３          ひも
３′        ひも
４          ひも保持具
４′        ひも保持具
５          ごみ収納かご
【図１】
2004300906.tif 000003
【図２】
2004300906.tif 000004
【図３】
2004300906.tif 000005
【図４】
2004300906.tif 000006
【図５】
2004300906.tif 000007